(57)【要約】【課題】無線信号の遅延時間が長い場合であっても、簡易に遅延を補償する。【解決手段】無線通信スシステムに、無線信号の送受信を行うデータ部と送受信を休止するガード部とをそれぞれ有する連続する複数のスロットによるＴＤＤ（Time Division Duplex）方式で無線信号を受信する回線局装置と、前記回線局装置と移動端末との無線信号の送受信を前記複数のスロットによるＴＤＤ方式で中継する中継局装置であって、前記回線局装置に無線信号を送信するときに、先行のスロットの前記データ部を前記ガード部の長さ以下の第１の時間だけ早め、後続のスロットの前記データ部を前記ガード部より長い第２の時間だけ早める、中継局装置とを備え、無線信号の遅延時間がガード時間より長い場合であっても、遅延を補償できるようにした。【選択図】図４
2014165673.tif 000002
【特許請求の範囲】
【請求項１】
無線信号の送受信を行うデータ部と送受信を休止するガード部とをそれぞれ有する連続する複数のスロットによるＴＤＤ（Time Division Duplex）方式で無線信号を受信する回線局装置と、
前記回線局装置と移動端末との無線信号の送受信を前記複数のスロットによるＴＤＤ方式で中継する中継局装置であって、前記回線局装置に無線信号を送信するときに、先行のスロットの前記データ部を前記ガード部の長さ以下の第１の時間だけ早め、後続のスロットの前記データ部を前記ガード部より長い第２の時間だけ早める、中継局装置と、
を有する無線通信システム。
【請求項２】
請求項１において、
前記中継局装置は、前記回線局装置との距離に基づいて前記第１、第２の時間を求める
無線通信システム。
【請求項３】
請求項１において、
前記回線局装置と通信可能に接続されるセンタ装置をさらに有し、
前記センタ装置は、前記回線局装置と前記中継局装置との距離に基づいて前記第１、第２の時間と当該第１、第２の時間で前記データ部を早める早出しスロットを求め、当該第１、第２の時間と当該早出しスロットとを前記中継局装置に送信する、
無線通信システム。
【請求項４】
無線信号の送受信を行うデータ部と送受信を休止するガード部とをそれぞれ有する連続する複数のスロットによるＴＤＤ（Time Division Duplex）方式で無線信号を受信する回線局装置との無線信号の送受信を前記複数のスロットによるＴＤＤ方式で行う無線通信部と、
前記回線局装置に無線信号を送信するときに、先行のスロットの前記データ部を前記ガード部の長さ以下の第１の時間だけ早め、後続のスロットの前記データ部を前記ガード部より長い第２の時間だけ早める制御部と、
を有する中継局装置。
【請求項５】
請求項４において、
前記制御部は、前記回線局装置との距離に基づいて前記第１、第２の時間を求める
中継局装置。
【請求項６】
無線信号の送受信を行うデータ部と送受信を休止するガード部とをそれぞれ有する連続する複数のスロットによるＴＤＤ（Time Division Duplex）方式で無線信号を受信する回線局装置と移動端末との無線信号の送受信を前記複数のスロットによるＴＤＤ方式で中継する中継局装置にて、前記回線局装置に無線信号を送信するときに、先行のスロットの前記データ部を前記ガード部の長さ以下の第１の時間だけ早め、後続のスロットの前記データ部を前記ガード部より長い第２の時間だけ早め、
前記第１、第２の時間が、前記回線局装置と前記中継局装置との距離に基づいて求められる、無線通信方法。
【請求項７】
無線信号の送受信を行うデータ部と送受信を休止するガード部とをそれぞれ有する連続する複数のスロットによるＴＤＤ（Time Division Duplex）方式で無線信号を受信する回線局装置と移動端末との無線信号の送受信を前記複数のスロットによるＴＤＤ方式で中継する中継局装置のプロセッサに、
前記回線局装置に無線信号を送信するときに、先行のスロットの前記データ部を前記ガード部の長さ以下の第１の時間だけ早め、後続のスロットの前記データ部を前記ガード部より長い第２の時間だけ早める手順とを実行させる無線通信制御プログラム。
【発明の詳細な説明】
【技術分野】
【０００１】
本発明は、無線信号の送受信を行うデータ部と送受信を休止するガード部とをそれぞれ有する連続する複数のスロットによるＴＤＤ（Time Division Duplex）方式で無線信号を送受信する回線局装置と中継局装置とを備えた無線通信システム、中継局装置、無線通信方法、及び無線通信制御プログラムに関する。
【背景技術】
【０００２】
携帯電話やＰＨＳ（Personal Handy-phone System）などの移動端末のいわゆる無線エントランスシステムにおいて、通信網を経由してセンタ装置接続される回線局装置と、回線局装置と移動端末とを中継する中継局装置との間で、ＴＤＤ（Time Division Duplex）方式による無線信号の送受信が採用される。ＴＤＤ方式は、複数のスロットごとに無線信号の送信と受信を交互に、すなわち時分割で行うことで、同時送受信を擬制する。各スロットは、無線信号の送信または受信を行うデータ部と、送信信号と受信信号の干渉を避けるために送受信を休止するガード部とを有する。
【０００３】
無線エントランスシステムでは、回線局装置と中継局装置との間で、距離に応じて無線信号が遅延する。すると、受信側において、受信スロットのデータ部に無線信号の到着が遅延し、受信に支障をきたす。かかる問題に対処すべく、種々の方法が提案されている（たとえば、特許文献１、２）。特許文献１の方法では、送信側の局において、送信スロットのデータ部をガード部の分早くすることで、遅延を補償する。また、特許文献２の方法では、受信側の局でスロットの開始基準時からの遅延時間に基づいて無線信号の遅延時間を計算し、遅延に基づく誤差情報を返信することで送信側の局が送信タイミングを調整する。
【先行技術文献】
【特許文献】
【０００４】
【特許文献１】特開平７−３８９５４号公報
【特許文献２】特開平８−３２５０５号公報
【発明の概要】
【発明が解決しようとする課題】
【０００５】
しかしながら、特許文献１の方法では、無線信号の遅延時間がガード部の長さを上回る場合に対処できない。また、特許文献２の方法では、タイミング調整のための追加的なデータ通信が発生し、スロットの利用効率を向上させる余地がある。
【０００６】
従って、上記のような問題点に鑑みてなされた本発明の目的は、無線信号の遅延時間が長い場合であっても、簡易に遅延を補償する無線通信システム等を提供することにある。
【課題を解決するための手段】
【０００７】
上記課題を解決するために本発明の一側面に係る無線通信システムは、無線信号の送受信を行うデータ部と送受信を休止するガード部とをそれぞれ有する連続する複数のスロットによるＴＤＤ（Time Division Duplex）方式で無線信号を受信する回線局装置と、前記回線局装置と移動端末との無線信号の送受信を前記複数のスロットによるＴＤＤ方式で中継する中継局装置であって、前記回線局装置に無線信号を送信するときに、先行のスロットの前記データ部を前記ガード部の長さ以下の第１の時間だけ早め、後続のスロットの前記データ部を前記ガード部より長い第２の時間だけ早める、中継局装置とを有することを特徴とする。
【０００８】
前記中継局装置は、前記回線局装置との距離に基づいて前記第１、第２の時間を求めるとよい。また、前記無線通信システムは、前記回線局装置と通信可能に接続されるセンタ装置をさらに有し、前記センタ装置は、前記回線局装置と前記中継局装置との距離に基づいて前記第１、第２の時間と当該第１、第２の時間で前記データ部を早める早出しスロットを求め、当該第１、第２の時間と当該早出しスロットとを前記中継局装置に送信するようにしてもよい。
【０００９】
本発明の別の側面に係る中継局装置は、無線信号の送受信を行うデータ部と送受信を休止するガード部とをそれぞれ有する連続する複数のスロットによるＴＤＤ（Time Division Duplex）方式で無線信号を受信する回線局装置との無線信号の送受信を前記複数のスロットによるＴＤＤ方式で行う無線通信部と、前記回線局装置に無線信号を送信するときに、先行のスロットの前記データ部を前記ガード部の長さ以下の第１の時間だけ早め、後続のスロットの前記データ部を前記ガード部より長い第２の時間だけ早める制御部とを有する。また、前記制御部は、前記回線局装置との距離に基づいて前記第１、第２の時間を求める。
【００１０】
上述したように本発明の解決手段をシステムまたは装置として説明してきたが、本発明はこれらに実質的に相当する方法、プログラム、プログラムを記録した記憶媒体としても実現し得るものであり、本発明の範囲にはこれらも包含されるものと理解されたい。なお、方法やプログラムの各ステップは、データの処理においては必要に応じて、ＣＰＵ、ＤＳＰなどの演算処理装置を使用するものであり、入力したデータや加工・生成したデータなどをＨＤＤ、メモリなどの記憶装置に格納するものである。
【００１１】
例えば、別の側面に係る無線通信方法は、回線局装置にて無線信号の送受信を行うデータ部と送受信を休止するガード部とをそれぞれ有する連続する複数のスロットによるＴＤＤ（Time Division Duplex）方式で無線信号を送受信し、前記回線局装置と移動端末との無線信号の送受信を前記複数のスロットによるＴＤＤ方式で中継する中継局装置にて、前記回線局装置に無線信号を送信するときに、先行のスロットの前記データ部を前記ガード部の長さ以下の第１の時間だけ早め、後続のスロットの前記データ部を前記ガード部より長い第２の時間だけ早める。そして、前記第１、第２の時間が、前記回線局装置と前記中継局装置との距離に基づいて求められる。
【００１２】
例えば、さらに別の側面に係る本発明をプログラムとして実現した無線通信制御プログラムは、無線信号の送受信を行うデータ部と送受信を休止するガード部とをそれぞれ有する連続する複数のスロットによるＴＤＤ（Time Division Duplex）方式で無線信号を受信する回線局装置と移動端末との無線信号の送受信を前記複数のスロットによるＴＤＤ方式で中継する中継局装置のプロセッサに、前記回線局装置に無線信号を送信するときに、先行のスロットの前記データ部を前記ガード部の長さ以下の第１の時間だけ早め、後続のスロットの前記データ部を前記ガード部より長い第２の時間だけ早める手順とを実行させる。
【発明の効果】
【００１３】
本発明における実施形態によれば、無線信号の遅延時間が長い場合であっても、簡易に遅延を補償できる。
【図面の簡単な説明】
【００１４】
【図１】無線通信システムのブロック図である。
【図２】回線局装置と中継局装置の間のＴＤＤ方式の無線通信について説明する図である。
【図３】スロットの構成を示す図である。
【図４】無線エントランスシステムの基本的な動作を説明する図である。
【図５】無線エントランスシステムの動作手順例を示すフローチャート図である。
【図６】第１実施例における無線エントランスシステムの構成例を示す図である。
【図７】第２実施例における無線エントランスシステムの構成例を示す図である。
【図８】センタ装置の処理手順を説明する図である。
【発明を実施するための形態】
【００１５】
以下、本発明の実施の形態について説明する。
【００１６】
図１は、本実施形態における無線通信システムのブロック図である。この無線通信システム１は、携帯電話やＰＨＳの無線エントランス回線を提供するシステムであって、光回線やメタル回線等で通信網１０を経由してセンタ装置１１と接続される回線局装置１２と、回線局装置１２からＴＤＤ（Time Division Duplex）方式の無線通信で接続される中継局装置１４と、中継局装置１４と接続されるとともに移動端末１５の基地局として動作するサービス局装置１６とを有する。移動端末１５は、携帯電話機またはＰＨＳ電話機である。
【００１７】
センタ装置１は、制御部１１０、記憶部１１２、ネットワークインターフェース１１４、入力インターフェース１１６及び出力インターフェース１１８を有する。センタ装置１は、たとえば、パーソナルコンピュータ等の情報処理装置である。制御部１１０は、たとえばＣＰＵ（Central Processing Unit）などのプロセッサである。記憶部１１２は、たとえば、ＳＲＡＭ（Static RAM）やＤＲＡＭ（Dynamic RAM）を含むメモリ装置である。制御部１１０は、記憶部１１２に格納される制御プログラムに従って動作し、センタ装置１の動作を統括的に制御する。また、制御部１１０は、ネットワークインターフェース１１４を介して通信網１０とデータ通信可能に接続される。さらに、制御部１１０は、入力インターフェース１１６を介して入力手段からの入力を受け付けたり、出力インターフェースを介してデータを出力装置に出力したりする。以下の説明におけるセンタ装置１の動作は、制御プログラムに基づく制御部１１０の動作である。
【００１８】
回線局装置１２は、制御部１２０、記憶部１２２、無線通信部１２４、及びネットワークインターフェース１２６を有する。制御部１２０は、たとえばマイクロコンピュータやＡＳＩＣなどである。記憶部１２２は、たとえば、ＳＲＡＭやＤＲＡＭを含むメモリ装置である。制御部１２０は、内部のメモリや記憶部１２２に格納される制御プログラムに従って動作し、回線局装置１２の各部の動作を統括的に制御する。無線通信部１２４は、データ信号の変調・復調を行い、ＴＤＤ方式で無線信号送受信する。無線通信部１２４により、回線局装置１２は、中継局装置１４と無線通信可能に構成される。また、制御部１２０は、ネットワークインターフェース１２６により通信網１０と接続され、センタ装置１１や他の回線局装置１２とデータ通信可能に構成される。以下の説明における回線局装置１２の動作は、制御プログラムに基づく制御部１２２の動作である。
【００１９】
中継局装置１４は、制御部１４０、記憶部１４２、無線通信部１４４、及びサービスインターフェース１４６を有する。制御部１４０は、たとえばマイクロコンピュータやＡＳＩＣなどである。記憶部１４２は、たとえば、ＳＲＡＭやＤＲＡＭを含むメモリ装置である。無線通信部１４４は、データ信号の変調・復調を行い、ＴＤＤ方式で無線信号送受信する。無線通信部１４４により、中継局装置１４は、回線局装置１２と無線通信可能に構成される。制御部１４０は、内部のメモリや記憶部１４２に格納される制御プログラムに従って動作し、無線通信部１４４による送受信動作を含む中継局装置１４の各部の動作を統括的に制御する。また、制御部１４０は、サービスインターフェース１４６によりサービス局装置１６と接続され、サービス局装置１６の無線通信機能により、移動端末１５とデータ通信可能に構成される。このようにして、中継局装置１４は、回線局装置１２と移動端末１５とのデータ通信を中継する。以下の説明における中継局装置１４の動作は、制御プログラムに基づいて制御部１４２が無線通信部１４４を制御したり、制御に必要な演算処理等をしたりする動作である。
【００２０】
図２は、回線局装置１２と中継局装置１４の間のＴＤＤ方式の無線通信について説明する図である。ここでは、水平方向を時間軸とし、ＰＨＳにおけるＴＤＤ方式の例が示される。ＴＤＤ方式では、無線信号の送受信が、複数の送信スロットｓＳ１〜ｓＳ４と受信スロットｒＳ１〜ｒＳ４で行われる。ここでは、送受信ともに４つのスロットで行われる場合を示すが、スロット数はここに示す例に限られず、また、送信と受信で異なるスロット数であってもよい。回線局装置１２と中継局装置１４は、それぞれ４つの送信スロットｓＳ１〜ｓＳ４と４つの受信スロットｒＳ１〜ｒＳ４を交互に繰り返す。このとき、一方の送信スロットｓＳ１〜ｓＳ４に他方の受信スロットｒＳ１〜ｒＳ４が対応するようにスロットの切替えが行われ、送信スロットｓＳ１〜ｓＳ４で無線信号２３を送信し、受信スロットｒＳ１〜ｒＳ４で無線信号２３を受信する。このようにして時分割で送信と受信とを交互に繰り返すことで、同時送受信が擬制される。各スロットは、無線信号の送信または受信を行うデータ部２１と、送信及び受信を行なわないガード部２２を有する。ガード部２２は、送信信号と受信信号を時間方向に分離して互いの干渉を避けるためにデータ部２１の間に挿入される。
【００２１】
図３は、一例における１スロットの構成を示す。ＰＨＳシステムでは、ＱＰＳＫ（Quadrature Phase Shift Keying）通信の場合、１スロットは２４０ｂｉｔを有し、そのうちデータ部２１が２２４ｂｉｔ、ガード部２２が１６ｂｉｔとなっている。１スロットはトータル６２５μ秒であるので、そのうちのデータ部２１は５８３．３３μ秒（＝６２５×２２４）／２４０）であり、一方、ガード部２２は、４１．７μ秒（＝６２５×１６／２４０）である。
【００２２】
上記のようなＴＤＤ方式の無線通信において、回線局装置１２と中継局装置１４の間の距離に応じて、無線信号が遅延する。すると、受信側において、受信スロットｒＳ１〜ｒＳ４のデータ部２１の間に無線信号の到着が間に合わない場合が生じる。そして、回線局装置１２がフレームタイミングに同期した固定タイミングで無線信号の送受信を行うような場合、無線信号が受信スロットｒＳ１〜ｒＳ４のデータ部２１の間に受信されず、データが欠落する。かかる問題に対処すべく、無線エントランスシステム１では、次のような動作が行われる。
【００２３】
図４は、本実施形態における無線エントランスシステム１の基本的な動作を説明する図である。図４（Ａ）は、水平方向を時間軸とし、中継局装置１４から回線局装置１２に無線信号を送信する場合のスロットが示される。ここでは、中継局装置１４と回線局装置１２との間の距離に応じて、無線信号の遅延Ｔ４０が発生している状態が示される。ここでは、遅延Ｔ４０は、ガード部２２より長い遅延である。
【００２４】
かかる場合、中継局装置１４は、送信スロットｓＳ１におけるデータ部２１を時間Ｔ４１だけ、たとえばガード部２２の分（すなわち４１．７μ秒）だけ早める（以下、早出しという）。これにより、送信スロットｓＳ１の直前の受信スロットｒＳ４´のガード部２２をつぶして早出しを行うが、受信スロットｒＳ４´におけるデータ部２１とは重複しないので、受信スロットｒＳ４´の受信信号との干渉を回避できる。そして、中継局装置１４は、送信スロットｓＳ２におけるデータ部２１を、時間Ｔ４１以上の時間Ｔ４２だけ、たとえば、受信スロットｒＳ４´のガード部２２と送信スロットｓＳ１のガード部２２の合計分（すなわち８３．３μ秒）だけ、早出しする。以降、同様に、中継局装置１４は、送信スロットｓＳ３におけるデータ部２１を、時間Ｔ４２以上の時間Ｔ４３だけ、たとえば、受信スロットｒＳ４´のガード部２２と送信スロットｓＳ１、ｓＳ２のガード部２２の合計分（すなわち１２５μ秒）だけ、早出しする。そして、中継局装置１４は、送信スロットｓＳ４におけるデータ部２１を、時間Ｔ４３以上の時間Ｔ４４だけ、たとえば、送信ス受信スロットｒＳ４´のガード部２２とロットｓＳ１〜ｓＳ３のガード部２２の合計分（すなわち１６６．７μ秒）だけ、早出しする。ここにおいて、中継局装置１４の送信スロットｓＳ４が回線局装置１２の受信スロットｒＳ４に追いつき、無線信号を遅延なく到達させることができる。
【００２５】
本実施形態によれば、後続の送信スロットほど早出し時間を大きくとることができる。よって、たとえば、各送信スロットがそれぞれに対応するガード部だけしか早出ししない場合と比べて、より確実に回線局装置の受信スロットに受信されるように無線信号を送信することができる。
【００２６】
図５は、本実施形態における無線エントランスシステム１の動作手順例を示すフローチャート図である。
【００２７】
無線エントランスシステム１は、回線局装置１２と中継局装置１４の間の距離を取得する（Ｓ５００）。この手順Ｓ５００は、たとえば、中継局装置１４により、中継局装置１４の新設時または所定周期で実行される。そのとき、中継局装置１４は、たとえば、周辺の回線局装置１２からの無線信号を受信し、フレームタイミングに対する遅延時間に基づき回線局装置１２との距離を算出する。または、手順Ｓ５００は、回線局装置１２により、回線局装置１２の新設時に実行される。そのとき、回線局装置１４は、たとえば、周辺の中継局装置１４からの無線信号を受信し、フレームタイミングに対する遅延時間に基づき中継局装置１４との距離を算出する。または、センタ装置１１に、近傍の回線局装置１２と中継局装置１４の位置情報（緯度、経度等）を、入力インターフェース１６を介して入力装置から登録しておき、回線局装置１２または中継局装置１４がたとえば一回的または定期的に、近傍の中継局装置１４または回線局装置１２の位置情報をセンタ装置１１からダウンロードしてもよい。
【００２８】
次いで、無線エントランスシステム１では、中継局装置１４が、自らの無線信号の伝送可能距離を算出する（Ｓ５０２）。この手順Ｓ５０２は、たとえば、中継局装置１４において一回的にまたは定期的に、実行される。そのとき、送信スロットｓＳ１、ｓＳ２、ｓＳ３及びｓＳ４の伝送可能距離をＬ１、Ｌ２、Ｌ３及びＬ４とすると、伝送可能距離Ｌ１〜Ｌ４は、次の式で算出される。伝送可能距離Ｌ１〜Ｌ４は、先行するスロットのガード部２２をつぶして早出ししたときに、その無線信号が回線局装置１２の受信スロットで遅延なく受信されるような、回線局装置１２の距離である。なお、次式においてＴｇはガード部の長さ（秒）、Ｃは無線の伝搬速度（約３０万ｋｍ／秒）である。
Ｌ１＝Ｔｇ・Ｃ
Ｌ２＝２・Ｔｇ・Ｃ
Ｌ３＝３・Ｔｇ・Ｃ
Ｌ４＝４・Ｔｇ・Ｃ
【００２９】
次いで、無線エントランスシステム１では、中継局装置１４またはセンタ装置１１が、回線局装置１２と中継局装置１４の距離と、中継局装置１４における伝送可能距離とに基づいて、データ部２１を早出しする送信スロットと早出しの時間を決定する（Ｓ５０４）。この手順Ｓ５０４の詳細は後述する。
【００３０】
そして、無線エントランスシステム１では、中継局装置１４が、手順Ｓ５０４の結果に基づいて、送信スロットのデータ部２１を早出しして、無線信号を送信する（Ｓ５０６）。
【００３１】
次に、上述の手順Ｓ５０４における早出しする送信スロットと早出しの時間の決定に関する実施例を説明する。
【００３２】
[第１実施例]
図６は、第１実施例における無線エントランスシステム１の構成を示す。第１実施例は、２つの回線局装置１２ａ、１２ｂと、２つの中継局装置１４ａ、１４ｂを有する。回線局装置１２ａ、１２ｂと中継局装置１４ａ、１４ｂの距離は、次のとおりである。
回線局装置１２ａと中継局装置１４ａの距離：Ｄ１ａ
回線局装置１２ａと中継局装置１４ｂの距離：Ｄ２ａ
回線局装置１２ｂと中継局装置１４ａの距離：Ｄ１ｂ
回線局装置１２ｂと中継局装置１４ｂの距離：Ｄ２ｂ
ここで、中継局装置１４ａについて、最も近い回線局装置１２ａとの距離Ｄ１ａと伝送可能距離Ｌ１〜Ｌ４の関係に応じて場合分けして説明する。
【００３３】
［１］Ｄ１ａ≦Ｌ１（＝Ｔｇ・Ｃ）の場合、中継局装置１４ａは、送信スロットｓＳ１でデータ部２１をＤ１ａ／Ｃ（秒）だけ早出しする。そうすることで、送信スロットｓＳ１〜ｓＳ４の送信信号を回線局装置１２ａの受信スロットｒＳ１〜ｒＳ４で受信させることができ、エントランス回線を確保できる。
【００３４】
［２］Ｌ１＜Ｄ１ａ≦Ｌ２（＝２・Ｔｇ・Ｃ）の場合、中継局装置１４ａは、送信スロットｓＳ１でデータ部２１をガード部２２の長さだけ、すなわちＴｇだけ早出しするとともに、送信スロットｓＳ２〜ｓＳ４でデータ部２１をＤ１ａ／Ｃ（秒）だけ早出しする。そうすることで、送信スロットｓＳ２〜ｓＳ４の送信信号を回線局装置１２ａの受信スロットｒＳ２〜ｒＳ４で受信させることができ、エントランス回線を確保できる。
【００３５】
［３］Ｌ２＜Ｄ１ａ≦Ｌ３（＝３・Ｔｇ・Ｃ）の場合、中継局装置１４ａは、送信スロットｓＳ１でデータ部２１をＴｇだけ、送信スロットｓＳ２でデータ部２１を２・Ｔｇだけ早出しするとともに、送信スロットｓＳ３、ｓＳ４でデータ部２１をＤ１ａ／Ｃ（秒）だけ早出しする。そうすることで、送信スロットｓＳ３、ｓＳ４の送信信号を回線局装置１２ａの受信スロットｒＳ３、ｒＳ４で受信させることができ、エントランス回線を確保できる。
【００３６】
［４］Ｌ３＜Ｄ１ａ≦Ｌ４（＝４・Ｔｇ・Ｃ）の場合、中継局装置１４ａは、送信スロットｓＳ１でデータ部２１をＴｇだけ、送信スロットｓＳ２でデータ部２１を２・Ｔｇだけ、そして送信スロットｓＳ３でデータ部２１を３・Ｔｇだけ早出しするとともに、送信スロットｓＳ４でデータ部２１をＤ１ａ／Ｃ（秒）だけ早出しする。そうすることで、送信スロットｓＳ４の送信信号を回線局装置１２ａの受信スロットｒＳ４で受信させることができ、エントランス回線を確保できる。
【００３７】
上述の[１]〜[４]において、後続の送信スロットほど先行の送信スロットより長い早出し時間で早出しできるので、遅延時間がガード部より長くても遅延を補償してエントランス回線の接続を確保できる。
【００３８】
[第２実施例]
図７は、第２実施例における無線エントランスシステムの構成を示す。第２実施例では、センタ装置１１と接続される３つの回線局装置１２ａ、１２ｂ及び１２ｃと、３つの中継局装置１４ａ、１４ｂ及び１４ｃを有する。回線局装置１２ａ〜１２ｃと中継局装置１４ａ〜１４ｃの距離は、次のとおりである。
回線局装置１２ａと中継局装置１４ａの距離：Ｄ１ａ
回線局装置１２ａと中継局装置１４ｂの距離：Ｄ２ａ
回線局装置１２ａと中継局装置１４ｃの距離：Ｄ３ａ
回線局装置１２ｂと中継局装置１４ａの距離：Ｄ１ｂ
回線局装置１２ｂと中継局装置１４ｂの距離：Ｄ２ｂ
回線局装置１２ｂと中継局装置１４ｃの距離：Ｄ３ｂ
回線局装置１２ｃと中継局装置１４ａの距離：Ｄ１ｃ
回線局装置１２ｃと中継局装置１４ｂの距離：Ｄ２ｃ
回線局装置１２ｃと中継局装置１４ｃの距離：Ｄ３ｃ
【００３９】
第２実施例では、中継局装置１４ａ〜１４ｃのそれぞれについて、回線局装置１２ａ〜１２ｃに無線信号を送信するときに、回線局装置１２ａ〜１２ｃの受信スロットで無線信号が受信されるように早出しすべき送信スロットと早出し時間とを、センタ装置１１が決定する。センタ装置１１は、上記の距離Ｄ１ａ〜Ｄ３ｃを取得し、次に述べる手順で、中継局装置１４ａ〜１４ｃのそれぞれについて早出しすべきスロットと早出し時間とを決定すると、決定結果を回線局装置１２ａ〜１２ｃ経由で中継局装置１４ａ〜１４ｃに送信する。中継局装置１４ａ〜１４ｃは、センタ装置１１から送信されるデータを記憶部１４２にしておき、送信スロットの早出しを実行するために用いる。
【００４０】
図８は、センタ装置１１の処理手順を説明する図である。図８（１）〜（９）は、各行に中継局装置１４ａ〜１４ｃを対応させ、各列に回線局装置１２ａ〜１２ｃのそれぞれに無線信号を送信する送信スロットｓＳ１〜ｓＳ４を対応させたテーブルである。
【００４１】
まず、センタ装置１１は、中継局装置１４ａ〜１４ｃのそれぞれについて、送信スロットごとに、送信信号が送信先の回線局装置１２ａ〜１２ｂで受信されるような、早出し時間の候補を求める。たとえば、上述した第１実施例では中継局装置１４ａから回線局装置１２ａへの早出し時間の求め方を場合分け［１］〜［４］で示したが、同様の算出手順を、中継局装置１４ａ〜１４ｃのそれぞれについて、送信先の回線局装置１２ａ〜１２ｂごとにそれぞれとの距離に基づいて実行することで、早出し時間の候補が求められる。
【００４２】
図８（１）のテーブル内のセルには、対応する回線局装置１２ａ〜１２ｃの受信スロットで無線信号を受信させるための、中継局装置１４ａ〜１４ｃにおける送信スロットごとの早出し時間の候補が示される。早出し時間の候補は、対応する回線局装置との距離が遠いほど長くなる。また、セルが空欄の場合、対応する回線局装置の距離が遠すぎて、各送信スロットで最大限の早出し（送信スロットｓＳ１ならＴｇ、送信スロットｓＳ２なら２・Ｔｇ、送信スロットｓＳ３なら３・Ｔｇ、そして送信スロットｓＳ３なら４・Ｔｇ）を行っても、対応する回線局装置の対応する受信スロットに間に合わないことを示す。
【００４３】
たとえば、中継局装置１４ａについてみてみると、回線局装置１２ａまでの距離Ｄ１ａが回線局装置１２ｂ、１２ｃまでの距離Ｄ１ｂ、Ｄ１ｃと比べて最も近いことを反映して、回線局装置１２ａ〜１２ｃに対する送信スロットｓＳ１〜ｓＳ４の早出し時間の候補は、次のとおりである。
回線局装置１２ａ：  Ｔｇ、  Ｔｇ、  Ｔｇ、  Ｔｇ
回線局装置１２ｂ：  無、  ２・Ｔｇ、２・Ｔｇ、  ２・Ｔｇ
回線局装置１２ｃ：  無、  ２・Ｔｇ、２・Ｔｇ、  ２・Ｔｇ
【００４４】
また、中継局装置１４ｂについてみてみると、回線局装置１２ａまでの距離Ｄ２ａが最も近く、回線局装置１２ｂまでの距離Ｄ２ｂが最も遠く、回線局装置１２ｃまでの距離Ｄ２ｃが中程度であることを反映して、回線局装置１２ａ〜１２ｃに対する送信スロットｓＳ１〜ｓＳ４の早出し時間の候補は、次のとおりである。
回線局装置１２ａ：  Ｔｇ、  Ｔｇ、  Ｔｇ、  Ｔｇ
回線局装置１２ｂ：  無、  無、  無、  ４・Ｔｇ
回線局装置１２ｃ：  無、  無、  ３・Ｔｇ、  ３・Ｔｇ
【００４５】
さらに、中継局装置１４ｃについてみてみると、回線局装置１２ａまでの距離Ｄ３ａが最も遠く、回線局装置１２ｂまでの距離Ｄ２ｂが最も近く、回線局装置１２ｃまでの距離Ｄ３ｃが中程度であることを反映して、回線局装置１２ａ〜１２ｃに対する送信スロットｓＳ１〜ｓＳ４の早出し時間の候補は、次のとおりである。
回線局装置１２ａ：  無、  無、  無、  ４・Ｔｇ
回線局装置１２ｂ：  Ｔｇ、  Ｔｇ、  Ｔｇ、  Ｔｇ
回線局装置１２ｃ：  無、  ２・Ｔｇ、  ２・Ｔｇ、  ２・Ｔｇ
【００４６】
次いで、センタ装置１１は、中継局装置１４ａ〜１４ｃのそれぞれについて、送信スロットｓＳ１の送信信号を受信可能な回線局装置を探索する。たとえば、センタ装置１１は、図８（１）において送信スロットｓＳ１が早出し時間の候補を有する中継局装置と回線局装置の組み合わせを探索する。図８（２）は、図８（１）で示したテーブルに、探索結果を反映させて示す。探索結果として、送信スロットｓＳ１の早出し時間の候補に下線が付される。たとえば、中継局装置１４ａ、１４ｂは回線局装置１２ａに、中継局装置１４ｃは回線局装置１２ｂに、それぞれの早出し時間の候補で早出しを実行することで、送信スロットｓＳ１の送信信号を受信させることができる。
【００４７】
次いで、センタ装置１１は、中継局装置１４ａ〜１４ｃのそれぞれについて、送信スロットｓＳ１の送信信号を受信可能な回線局装置を確定する。たとえば、センタ装置１１は、図８（２）で示した検索結果のなかから、中継局装置と回線局装置の組合せを確定する。図８（３）は、図８（２）で示した探索結果のうち、回線局装置を確定した送信スロットのセルをハッチングで示し、排除された送信スロットのセルは斜線を付して示す。たとえば、中継局装置１４ａが回線局装置１２ａにスロットｓＳ１で早出し時間Ｔｇにより送信信号を送信することが確定される。このとき、中継局装置１４ａ、１４ｂのように回線局装置１２ａに対し重複が生じている場合は、センタ装置１１は、中継局装置１４ａ、１４ｂのうちいずれか一方（たとえば距離Ｄ１ａが近い中継局装置１４ａ）を確定し、他方（中継局装置１４ｂ）を排除する。そして、中継局装置１４ｃが回線局装置１２ｂにスロットｓＳ１で早出し時間Ｔｇにより送信信号を送信することが確定される。
【００４８】
次いで、センタ装置１１は、中継局装置１４ａ〜１４ｃのそれぞれについて、送信スロットｓＳ２の送信信号を受信可能な回線局装置を探索する。たとえば、センタ装置１１は、図８（３）において送信スロットｓＳ２が早出し時間の候補を有する中継局装置と回線局装置の組み合わせを探索する。図８（４）は、図８（３）で示したテーブルに新たな探索結果を反映させて示す。探索結果として、送信スロットｓＳ２の早出し時間の候補に下線が付される。たとえば、中継局装置１４ａは回線局装置１２ａ〜１２ｃに、中継局装置１４ｂは回線局装置１２ａに、中継局装置１４ｃは回線局装置１２ｂ、１２ｃに、それぞれの早出し時間で早出しを実行することで、送信スロットｓＳ２での送信信号を受信させることができる。
【００４９】
次いで、センタ装置１１は、中継局装置１４ａ〜１４ｃのそれぞれについて、送信スロットｓＳ２の送信信号を受信可能な回線局装置を確定する。たとえば、センタ装置１１は、図８（４）で示した検索結果のなかから、中継局装置と回線局装置の組合せを確定する。図８（５）は、図８（４）で示した探索結果のうち、回線局装置を確定した送信スロットのセルをハッチングで示し、排除された送信スロットのセルは斜線を付して示す。ここでは、回線局装置１２ａに対し中継局装置１４ａ、１４ｂが重複し、回線局装置１２ｂに対し中継局装置１４ａ、１４ｃが重複し、そして、回線局装置１２ｃに対し中継局装置１４ａ、１４ｃが重複している。これらの重複関係のうち、回線局装置１２ｂに対する中継局装置１４ａ、１４ｃはそれぞれ回線局装置１２ｃに対する距離Ｄ１ｂ、Ｄ３ｂが異なるので、距離が近い方の中継局装置１４ｃが確定される。すると、これに応じ、回線局装置１２ｃに対する重複において中継局装置１４ｃが排除され、回線局装置１２ｃに対し中継局装置１４ａが確定される。すると、これに応じ、回線局装置１２ａに対する重複において中継局装置１４ａが排除され、回線局装置１２ａに対し中継局装置１４ｂが確定される。
【００５０】
次いで、センタ装置１１は、中継局装置１４ａ〜１４ｃのそれぞれについて、送信スロットｓＳ３の送信信号を受信可能な回線局装置を探索する。たとえば、センタ装置１１は、図８（５）において送信スロットｓＳ３が早出し時間の候補を有する中継局装置と回線局装置の組み合わせを探索する。図８（６）は、図８（５）で示したテーブルに新たな探索結果を反映させて示す。探索結果として、送信スロットｓＳ３の早出し時間の候補に下線が付される。たとえば、中継局装置１４ａは回線局装置１２ａ〜１２ｃに、中継局装置１４ｂは回線局装置１２ａ、１２ｃに、中継局装置１４ｃは回線局装置１２ｂ、１２ｃにそれぞれの早出し時間で早出しを実行することで、送信スロットｓＳ３での送信信号を受信させることができる。
【００５１】
次いで、センタ装置１１は、中継局装置１４ａ〜１４ｃのそれぞれについて、送信スロットｓＳ３の送信信号を受信可能な回線局装置を確定する。たとえば、センタ装置１１は、図８（６）で示した検索結果のなかから、中継局装置と回線局装置の組合せを確定する。図８（７）は、図８（６）で示した探索結果のうち、回線局装置を確定した送信スロットのセルをハッチングで示し、排除された送信スロットのセルは斜線を付して示す。ここでは、回線局装置１２ａに対し中継局装置１４ａ、１４ｂが重複し、回線局装置１２ｂに対し中継局装置１４ａ、１４ｃが重複し、そして、回線局装置１２ｃに対し中継局装置１２ａ〜１２ｃが重複している。これらの重複関係のうち、回線局装置１２ｂに対する中継局装置１４ａ、１４ｃはそれぞれ回線局装置１２ｂに対する距離Ｄ１ｂ、Ｄ３ｂが異なるので、距離が近い方の中継局装置１４ｃが確定される。すると、これに応じ、回線局装置１２ｂに対する重複において中継局装置１４ａが排除され、回線局装置１２ｂに対し中継局装置１４ｃが確定される。すると、これに応じ、回線局装置１２ｃに対する重複において中継局装置１４ｃが排除され、回線局装置１２ｃに対し重複する残りの中継局装置１４ａ、１４ｂのうち、距離が近い中継局装置１４ａが確定され、中継局装置１４ｂが排除される。すると、回線局装置１２ａに対する重複から中継局装置１４ａが排除され、回線局装置１２ａに対し中継局装置１４ｂが確定される。
【００５２】
次いで、センタ装置１１は、中継局装置１４ａ〜１４ｃのそれぞれについて、送信スロットｓＳ４の送信信号を受信可能な回線局装置を探索する。たとえば、センタ装置１１は、図８（７）において送信スロットｓＳ４が早出し時間の候補を有する中継局装置と回線局装置の組み合わせを探索する。図８（８）は、図８（７）で示したテーブルに新たな探索結果を反映させて示す。探索結果として、送信スロットｓＳ４の早出し時間の候補に下線が付される。たとえば、中継局装置１４ａ〜１４ｃはいずれも回線局装置１２ａ〜１２ｃにそれぞれの早出し時間で早出しを実行することで、送信スロットｓＳ４での送信信号を受信させることができる。
【００５３】
次いで、センタ装置１１は、中継局装置１４ａ〜１４ｃのそれぞれについて、送信スロットｓＳ４の送信信号を受信可能な回線局装置を確定する。たとえば、センタ装置１１は、図８（８）で示した検索結果のなかから、中継局装置と回線局装置の組合せを確定する。図８（９）は、図８（８）で示した探索結果のうち、回線局装置を確定した送信スロットのセルをハッチングで示し、排除された送信スロットのセルは斜線を付して示す。ここでは、回線局装置１２ａ〜１２ｃのそれぞれに対し中継局装置１４ａ〜１４ｃが重複している。これらの重複関係のうち、回線局装置１２ｂに対する中継局装置１２ａ〜１２ｃにおいて、回線局装置１２ｂとの距離Ｄ３ｂが最も近い中継局装置１４ｃが回線局装置１２ｂに対して確定される。すると、これに応じ、回線局装置１２ａ、１２ｃに対する重複において中継局装置１４ｃが排除され、回線局装置１２ｃに対し重複する残りの中継局装置１４ａ、１４ｂのうち、距離が近い中継局装置１４ａが確定され、中継局装置１４ｂが排除される。すると、これに応じ、回線局装置１２ａに対する重複において中継局装置１４ａ、１４ｃが排除され、回線局装置１２ａに対し中継局装置１４ｂが確定される。
【００５４】
上記のようにして確定した送信スロットと早出し時間がセンタ装置１１から送信されるので、これに基づいて中継局装置１４ａ〜１４ｃが送信を行う。そうすることで、早出しすべき送信スロットを最適化して回線局装置１２ａ〜１２ｃと中継局装置１４ａ〜１４ｃとの間の遅延を最小限にすることができる。
【００５５】
上述において、本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。また、上述で示した回線局装置、中継局装置の数は例示であり、上述の組み合わせ以外も可能である。さらに、上述において、回線局装置と中継局装置との間の通信における変調方式は、ＱＰＳＫ方式の場合を示したが、そのほかにも、ＢＰＳＫ（Binary Phase-Shift Keying）、８ＰＳＫ（Phase-Shift Keying）、１６ＱＡＭ（Quadrature Amplitude Modulation）、３２ＱＡＭ、６４ＱＡＭ等、種々の方式が可能である。
【符号の説明】
【００５６】
１  無線エントランスシステム
１１  センタ装置
１２  回線局装置
１４  中継局装置
【図１】
2014165673.tif 000003
【図２】
2014165673.tif 000004
【図３】
2014165673.tif 000005
【図４】
2014165673.tif 000006
【図５】
2014165673.tif 000007
【図６】
2014165673.tif 000008
【図７】
2014165673.tif 000009
【図８】
2014165673.tif 000010